(57)【要約】【課題】非使用時に摩擦部が汚れることを防止できる熱変色性筆記具を提供する。【解決手段】熱変色性筆記具は、筒状の本体２の端部に、熱変色性インキの筆跡を摩擦しその際に生じる摩擦熱で該筆跡を熱変色可能な低摩耗性の弾性材料からなる摩擦部３１を備え、且つ、内部に熱変色性インキが収容される。本体２の摩擦部３１側の端部の外面に、摩擦部３１の外周を包囲する保護部材４を設ける。保護部材４が、軸方向に移動可能に設けられるとともに弾発体５により軸方向前方に常時付勢される。摩擦部３１の非使用時、保護部材４の頂部が摩擦部３１の頂部よりも軸方向前方に突出する。摩擦部３１の使用時、被筆記面６と保護部材４の頂部との接触により、保護部材４が軸方向後方に移動する。【選択図】  図１
2014193573.tif 000002
【特許請求の範囲】
【請求項１】
筒状の本体の端部に、熱変色性インキの筆跡を摩擦しその際に生じる摩擦熱で該筆跡を熱変色可能な低摩耗性の弾性材料からなる摩擦部を備え、且つ、内部に熱変色性インキを収容した熱変色性筆記具であって、前記本体の摩擦部側の端部の外面に、前記摩擦部の外周を包囲する保護部材を設け、前記保護部材が、軸方向に移動可能に設けられるとともに弾発体により軸方向前方に常時付勢され、前記摩擦部の非使用時、前記保護部材の頂部が前記摩擦部の頂部よりも軸方向前方に突出し、前記摩擦部の使用時、被筆記面と前記保護部材の頂部との接触により、前記保護部材が軸方向後方に移動してなることを特徴とする熱変色性筆記具。
【請求項２】
前記保護部材が筒状である請求項１記載の熱変色性筆記具。
【請求項３】
前記本体の摩擦部側の端部の外面に軸方向前方に開口する環状の出没孔が設けられ、前記出没孔より後方に該出没孔より大きい内径を有する環状の収容孔が連設され、前記出没孔と前記収容孔との間に段部が形成され、前記保護部材が、筒状部と、該筒状部の後端部外面より径方向外方に突出する凸部とを備え、前記筒状部が前記出没孔内及び前記収容孔内に軸方向に摺動自在に設けられ、前記凸部が前記収容孔内に軸方向に摺動自在に収容され、前記収容孔内に前記弾発体が収容され、前記摩擦部の非使用時、前記凸部が前記段部に係止される請求項２記載の熱変色性筆記具。
【請求項４】
前記保護部材の頂部が凸曲面状である請求項１乃至３の何れかに記載の熱変色性筆記具。
【発明の詳細な説明】
【技術分野】
【０００１】
本発明は、筒状の本体の端部に、熱変色性インキの筆跡を摩擦しその際に生じる摩擦熱で該筆跡を熱変色可能な低摩耗性の弾性材料からなる摩擦部を備え、且つ、内部に熱変色性インキを収容した熱変色性筆記具に関する。
【背景技術】
【０００２】
従来、熱変色性筆記具において、軸胴の後端やキャップの頂部に摩擦体を設ける構成が開示されている。（例えば、特許文献１）。
【先行技術文献】
【特許文献】
【０００３】
【特許文献１】特開平２００７−２２３３０２号公報
【発明の概要】
【発明が解決しようとする課題】
【０００４】
前記特許文献１の熱変色性筆記具は、非使用時、ペンケース、ペン立て、または衣服のポケット等に収納して保管すると、摩擦部が常に外部に露出しているため、摩擦部が、他の物品（例えば、他の筆記具外面、ペンケースの内面、ペン立ての底面、または衣服のポケット内面等）に接触することにより、摩擦部表面に塵や埃が付着し、摩擦部表面が汚れることがあり、その汚れた状態の摩擦部を用いて紙面を摩擦すると、紙面が汚れてしまう不具合があった。
【０００５】
本発明は前記従来の問題点を解決するものであって、非使用時に摩擦部が汚れることを防止できる熱変色性筆記具を提供しようとするものである。
【０００６】
尚、本発明において、「前」とは摩擦部側を指し、「後」とはその反対側を指す。
【課題を解決するための手段】
【０００７】
本願の第１の発明は、筒状の本体２の端部に、熱変色性インキの筆跡を摩擦しその際に生じる摩擦熱で該筆跡を熱変色可能な低摩耗性の弾性材料からなる摩擦部３１を備え、且つ、内部に熱変色性インキを収容した熱変色性筆記具であって、前記本体２の摩擦部３１側の端部の外面に、前記摩擦部３１の外周を包囲する保護部材４を設け、前記保護部材４が、軸方向に移動可能に設けられるとともに弾発体５により軸方向前方に常時付勢され、前記摩擦部３１の非使用時、前記保護部材４の頂部が前記摩擦部３１の頂部よりも軸方向前方に突出し、前記摩擦部３１の使用時、被筆記面６と前記保護部材４の頂部との接触により、前記保護部材４が軸方向後方に移動してなることを要件とする。
【０００８】
前記第１の発明の熱変色性筆記具１は、前記本体２の摩擦部３１側の端部の外面に、前記摩擦部３１の外周を包囲する保護部材４を設け、前記保護部材４が、軸方向に移動可能に設けられるとともに弾発体５により軸方向前方に常時付勢され、前記摩擦部３１の非使用時、前記保護部材４の頂部が前記摩擦部３１の頂部よりも軸方向前方に突出し、前記摩擦部３１の使用時、被筆記面６と前記保護部材４の頂部との接触により、前記保護部材４が軸方向後方に移動してなることにより、非使用時、ペンケース、ペン立て、または衣服のポケット等に収納して保管しても、保護部材４により摩擦部３１が、他の物品（例えば、他の筆記具外面、ペンケースの内面、ペン立ての底面、または衣服のポケット内面等）に接触することが回避され、非使用時に摩擦部３１が汚れることを防止できる。尚、本発明で筒状の本体２は、例えば、一端にペン先を備え且つ内部に熱変色性インキを収容した軸筒、または該軸筒のペン先側に着脱自在に装着されるキャップ等が挙げられる。本発明で、保護部材４が摩擦部３１の外周を包囲するとは、例えば、保護部材４が、摩擦部３１の外周を完全に包囲する筒状体からなる構成、摩擦部３１の外周の一部または大部分を包囲する半筒状体からなる構成、または摩擦部３１の外周を包囲するよう間隔を置いて分散配置される複数の突出片からなる構成等が挙げられる。
【０００９】
本願の第２の発明は、前記第１の発明の熱変色性筆記具１において、前記保護部材４が筒状であることを要件とする。
【００１０】
前記第２の発明の熱変色性筆記具１は、前記保護部材４が筒状であることにより、非使用時、ペンケース、ペン立て、または衣服のポケット等に収納して保管しても、保護部材４により摩擦部３１が完全に包囲され、摩擦部３１が他の物品（例えば、他の筆記具外面、ペンケースの内面、ペン立ての底面、または衣服のポケット内面等）に接触することが確実に回避され、非使用時に摩擦部３１が汚れることを確実に防止できる。
【００１１】
本願の第３の発明は、前記第２の発明の熱変色性筆記具１において、前記本体２の摩擦部３１側の端部の外面に軸方向前方に開口する環状の出没孔２３が設けられ、前記出没孔２３より後方に該出没孔２３より大きい内径を有する環状の収容孔２４が連設され、前記出没孔２３と前記収容孔２４との間に段部２５が形成され、前記保護部材４が、筒状部４１と、該筒状部４１の後端部外面より径方向外方に突出する凸部４２とを備え、前記筒状部４１が前記出没孔２３内及び前記収容孔２４内に軸方向に摺動自在に設けられ、前記凸部４２が前記収容孔２４内に軸方向に摺動自在に収容され、前記収容孔２４内に前記弾発体５が収容され、前記摩擦部３１の非使用時、前記凸部４２が前記段部２５に係止されることを要件とする。
【００１２】
前記第３の発明の熱変色性筆記具１は、前記本体２の摩擦部３１側の端部の外面に軸方向前方に開口する環状の出没孔２３が設けられ、前記出没孔２３より後方に該出没孔２３より大きい内径を有する環状の収容孔２４が連設され、前記出没孔２３と前記収容孔２４との間に段部２５が形成され、前記保護部材４が、筒状部４１と、該筒状部４１の後端部外面より径方向外方に突出する凸部４２とを備え、前記筒状部４１が前記出没孔２３内及び前記収容孔２４内に軸方向に摺動自在に設けられ、前記凸部４２が前記収容孔２４内に軸方向に摺動自在に収容され、前記収容孔２４内に前記弾発体５が収容され、前記摩擦部３１の非使用時、前記凸部４２が前記段部２５に係止されることにより、保護部材４及び弾発体５５を筒体の摩擦部３１側の端部に適正に配置することができる。
【００１３】
本願の第４の発明は、前記第１、第２または第３の発明の熱変色性筆記具１において、前記保護部材４の頂部が凸曲面状であることを要件とする。
【００１４】
前記第４の発明の熱変色性筆記具１は、前記保護部材４の頂部が凸曲面状（例えば半球面状）であることにより、摩擦部３１の使用時、被筆記面６上をあらゆる方向に円滑に摺動させることができる。
【００１５】
本発明において、前記摩擦部３１を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部３１を構成する弾性を有する合成樹脂は、高摩耗性の弾性材料（例えば、消しゴム等）ではなく、摩擦時に摩耗カス（消しカス）が殆ど生じない低摩耗性の弾性材料である。本発明において、前記保護部材４は、合成樹脂（例えば、ポリカーボネイト、ポリエチレン、ポリプロピレン、ポリアセタール、ＡＢＳ樹脂等）または金属から構成されることが好ましい。また、前記本体２２は、合成樹脂（例えば、ポリカーボネイト、ポリエチレン、ポリプロピレン、ポリアセタール、ＡＢＳ樹脂等）または金属から構成されることが好ましい。
【発明の効果】
【００１６】
本発明の熱変色性筆記具は、非使用時に摩擦部が汚れることを防止できる。
【図面の簡単な説明】
【００１７】
【図１】本発明の実施の形態の摩擦部非使用時の要部縦断面図である。
【図２】本発明の実施の形態の摩擦部使用時の要部縦断面図である。
【発明を実施するための形態】
【００１８】
図１及び図２の本発明の実施の形態の熱変色性筆記具１を示す。
【００１９】
・本体
本体２は、円筒状の内部材２１と、該内部材２１の後端部外周面に固着される円筒状の外部材２２とからなる。前記本体２の内部材２１及び外部材２２は、合成樹脂または金属により形成される。前記本体２は、例えば、内部に熱変色性インキが収容され且つ該熱変色性インキが吐出可能なペン先を一端に備えた軸筒、または、前記軸筒のペン先側に着脱自在のキャップが挙げられる。前記本体２が軸筒の場合、軸筒の反ペン先側の端部に摩擦部３１が設けられる。前記本体２がキャップの場合、キャップの閉鎖側端部に摩擦部３１が設けられる。
【００２０】
・内部材
前記内部材２１は、前端部に、小径部２１ａと該小径部２１ａより後方に連設される大径部２１ｂと、該大径部２１ｂと小径部２１ａとの間に形成される肩部２１ｃとを備える。前記内部材２１の小径部２１ａの前端部には、取付孔２１ｄが設けられる。前記取付孔２１ｄの内周面には、内向突起が形成される。
【００２１】
・外部材
前記外部材２２は、前記内部材２１の大径部２１ｂの外周面に嵌着され且つ前記小径部２１ａの外周面を包囲する。前記外部材２２の前端部内面には、環状突起２２ａが形成される。
【００２２】
・摩擦部材
筒状の本体２の一端に、低摩耗性の弾性材料（例えば、シリコーン樹脂、ＳＢＳ樹脂、ＳＥＢＳ樹脂）からなる摩擦部材３が固着される。前記摩擦部材３は、外部に露出する大径の前部と、本体２の取付孔２１ｄ（内部材２１の取付孔２１ｄ）に嵌着される小径の後部とからなる。摩擦部材３の後部が取付孔２１ｄに嵌入される。前記摩擦部材３の後部の外周面には、外向突起が形成され、該外向突起が、摩擦部材３の後部を取付孔２１ｄに嵌入した際、前記取付孔２１ｄ内周面の内向突起と乗り越え係合される。前記大径の前部の頂部には凸曲面状の摩擦部３１が形成される。
【００２３】
・出没孔，収容孔，段部
前記本体２の内部材２１の小径部２１ａ外周周面と外部材２２内周面との間には、環状空間が形成される。前記環状空間が、前記環状突起２２ａの内側に形成され且つ軸方向前方に開口する出没孔２３と、該出没孔２３より後方に連設される大径の収容孔２４とからなる。前記出没孔２３と前記収容孔２４との間には段部２５が形成される。
【００２４】
・保護部材
前記出没孔２３の内部及び収容孔２４の内部に、筒状の保護部材４が軸方向に摺動自在に設けられる。前記保護部材４は、筒状部４１と、該筒状部４１の後端部外面より径方向外方に突出する凸部４２とを備える。前記保護部材４の筒状部４１が、前記出没孔２３及び収容孔２４の内部に軸方向に摺動自在に設けられる。前記保護部材４の凸部４２が、前記収容孔２４の内部に軸方向に摺動自在に設けられる。前記筒状部４１の頂部が、凸曲面状（Ｒ曲面状）に形成される。また、前記保護部材４は、合成樹脂により一体に形成される。前記保護部材４を、透明性を有する合成樹脂により形成することにより、摩擦操作時、摩擦部３１を視認することできる。
【００２５】
・弾発体
前記保護部材４は、弾発体５（例えば、圧縮コイルスプリング、ゴムやスポンジ等の弾性体）により常時、前方に弾発付勢される。前記弾発体５は、前記収容孔２４内に配置される。前記弾発体５の前端が保護部材４の後面に当接され、前記弾発体５の後端が内部材２１の肩部２１ｃに当接される。前記弾発体５の保護部材４を前方に付勢する弾発荷重は、少なくとも、熱変色性筆記具１全体の重量よりも高く設定される。
【００２６】
・作用
摩擦部３１の非使用時、保護部材４の筒状部４１が、摩擦部３１の出没孔２３より前方に突出され、該筒状部４１が摩擦部３１を包囲し、筒状部４１の頂部が摩擦部３１の頂部よりも前方に位置してなる。それにより、摩擦部３１が他の物品に接触することを回避される。摩擦部３１の使用時、被筆記面６と保護部材４の筒状部４１の頂部とが接触し、被筆記面６により保護部材４が後方に押圧され、保護部材４の後部が出没孔２３内に没入され、摩擦部３１を被筆記面６に押し当てて使用できる。それにより、摩擦操作前に、保護部材４を移動させる別の操作が不要となり、摩擦部３１を迅速に使用できる。
【００２７】
本実施の形態の熱変色性筆記具１は、前記本体２の摩擦部３１側の端部の外面に、前記摩擦部３１の外周を包囲する保護部材４を設け、前記保護部材４が、軸方向に移動可能に設けられるとともに弾発体５により軸方向前方に常時付勢され、前記摩擦部３１の非使用時、前記保護部材４の頂部が前記摩擦部３１の頂部よりも軸方向前方に突出し、前記摩擦部３１の使用時、被筆記面６と前記保護部材４の頂部との接触により、前記保護部材４が軸方向後方に移動してなることにより、非使用時、ペンケース、ペン立て、または衣服のポケット等に収納して保管しても、保護部材４により摩擦部３１が、他の物品（例えば、他の筆記具外面、ペンケースの内面、ペン立ての底面、または衣服のポケット内面等）に接触することが回避され、非使用時に摩擦部３１が汚れることを防止できる。
【００２８】
本実施の形態の熱変色性筆記具１は、前記保護部材４が筒状であることにより、非使用時、ペンケース、ペン立て、または衣服のポケット等に収納して保管しても、保護部材４により摩擦部３１が、他の物品（例えば、他の筆記具外面、ペンケースの内面、ペン立ての底面、または衣服のポケット内面等）に接触することが確実に回避され、非使用時に摩擦部３１が汚れることを確実に防止できる。
【００２９】
本実施の形態の熱変色性筆記具１は、前記本体２の摩擦部３１側の端部の外面に軸方向前方に開口する環状の出没孔２３が設けられ、前記出没孔２３より後方に該出没孔２３より大きい内径を有する環状の収容孔２４が連設され、前記出没孔２３と前記収容孔２４との間に段部２５が形成され、前記保護部材４が、筒状部４１と、該筒状部４１の後端部外面より径方向外方に突出する凸部４２とを備え、前記筒状部４１が前記出没孔２３内及び前記収容孔２４内に軸方向に摺動自在に設けられ、前記凸部４２が前記収容孔２４内に軸方向に摺動自在に収容され、前記収容孔２４内に前記弾発体５が収容され、前記摩擦部３１の非使用時、前記凸部４２が前記段部２５に係止されることにより、保護部材４及び弾発体５を筒体の摩擦部３１側の端部に適正に配置することができる。
【００３０】
本実施の形態の熱変色性筆記具１は、前記保護部材４の頂部が凸曲面状（例えば半球面状）であることにより、摩擦部３１の使用時、被筆記面６上をあらゆる方向に円滑に摺動させることができる。
【符号の説明】
【００３１】
１  熱変色性筆記具
２  本体
２１  内部材
２１ａ  小径部
２１ｂ  大径部
２１ｃ  肩部
２１ｄ  取付孔
２２  外部材
２２ａ  環状突起
２３  出没孔
２４  収容孔
２５  段部
３  摩擦部材
３１  摩擦部
４  保護部材
４１  筒状部
４２  凸部
５  弾発体
６  被筆記面
【図１】
2014193573.tif 000003
【図２】
2014193573.tif 000004